(57)【要約】  表示された伝達文字をより確認しやすくすることのできる袋を提供する。ポリ袋（１）は、透明または半透明の袋である。ポリ袋（１）の表面または裏面の少なくとも何れかには、警告を意味する伝達文字（メッセージ）が表示されている。この伝達文字には、正文字（２１）と、正文字（２１）に対する鏡文字（２２）とが含まれている。
2019207846.tif 000002
【特許請求の範囲】
【請求項１】
透明または半透明の袋であって、
表面または裏面の少なくとも何れかに警告を意味する伝達文字が表示されており、
前記伝達文字は、正文字および鏡文字を含む、袋。
【請求項２】
前記袋の底部と開口部とが配置されている方向を縦方向とするときに、
前記縦方向と交差する横方向に、前記正文字と前記鏡文字とが並んで表示されている、
請求項１に記載の袋。
【請求項３】
前記伝達文字は、前記袋の表面または裏面の何れか一方に印刷されており、
前記伝達文字を含む印刷面は、
前記鏡文字が印字された第１の層と、
前記第１の層上に配置され、非透明の塗料が印刷された第２の層と、
前記第２の層上に配置され、前記正文字が印刷された第３の層と
を含む、請求項１に記載の袋。
【請求項４】
前記伝達文字は、前記袋の底部から１０ｃｍ以上の範囲に表示されている、
請求項１から３の何れか１項に記載の袋。
【請求項５】
前記伝達文字には、危険行為を回避させる旨の指示が含まれている、
請求項１から４の何れか１項に記載の袋。
【請求項６】
前記鏡文字は、ひらがなまたはカタカナである、
請求項１から５の何れか１項に記載の袋。
【請求項７】
前記袋の表面または裏面の少なくとも何れかには、警告を意味する記号がさらに表示されている、
請求項１から６の何れか１項に記載の袋。
【発明の詳細な説明】
【技術分野】
【０００１】
本開示は、文字が表示されている袋に関する。
【背景技術】
【０００２】
ポリ袋は、コンビニエンスストアやスーパーマーケットなどの小売店で購入した商品の運搬用、商品出荷時の包装用、およびゴミなどの収集用などの広範な用途に用いられる。例えば、特許文献１には、冷蔵庫（被包装物）４の包装装置の一部として、冷蔵庫４に被せられるポリ袋３が開示されている。
【先行技術文献】
【特許文献】
【０００３】
【特許文献１】特開平８−２５８８８７号公報
【発明の概要】
【発明が解決しようとする課題】
【０００４】
このようなポリ袋には、表面または裏面の少なくとも何れかに文字が印刷されているものがある。印刷されている文字の中には、利用者の安全性を確保する目的で、ポリ袋を使用する際に起こり得る危険に関するメッセージ（警告を意味する伝達文字）が含まれているものもある。例えば、冷蔵庫などの大型の電気製品を包装するために用いられるポリ袋には、頭からポリ袋をかぶったときに起こり得る窒息の事故を防ぐための警告を意味するメッセージが印字されているものがある。【０００５】
しかし、ポリ袋に記載されている伝達文字は、そのポリ袋の用途に応じて、通常の使用時の状態で正文字となる向きで表示されている。そのため、利用者が通常の使用時の状態とは異なる位置関係で伝達文字を見た場合には、正文字（正規な向きの文字）とは異なる向きに表示された伝達文字を視認することになり、伝達文字の意味を即座に認識することが困難になる可能性がある。【０００６】
そこで、本発明の一局面は、表示された伝達文字をより確認しやすくすることのできる袋を提供することを目的とする。
【課題を解決するための手段】
【０００７】
本発明の一局面にかかる袋は、透明または半透明の袋である。前記袋の表面または裏面の少なくとも何れかには、警告を意味する伝達文字が表示されており、前記伝達文字は、正文字および鏡文字を含む。【０００８】
上記の本発明の一局面にかかる袋において、前記袋の底部と開口部とが配置されている方向を縦方向とするときに、前記縦方向と交差する横方向に、前記正文字と前記鏡文字とが並んで表示されていてもよい。【０００９】
上記の本発明の一局面にかかる袋において、前記伝達文字は、前記袋の表面または裏面の何れか一方に印刷されており、前記伝達文字を含む印刷面は、前記鏡文字が印字された第１の層と、前記第１の層上に配置され、非透明の塗料が印刷された第２の層と、前記第２の層上に配置され、前記正文字が印刷された第３の層とを含んでいてもよい。【００１０】
上記の本発明の一局面にかかる袋において、前記伝達文字は、前記袋の底部から１０ｃｍ以上の範囲に表示されていてもよい。【００１１】
上記の本発明の一局面にかかる袋において、前記伝達文字には、危険行為を回避させる旨の指示が含まれていてもよい。【００１２】
上記の本発明の一局面にかかる袋において、前記鏡文字は、ひらがなまたはカタカナであってもよい。【００１３】
上記の本発明の一局面にかかる袋において、前記袋の表面または裏面の少なくとも何れかには、警告を意味する記号がさらに表示されていてもよい。
【発明の効果】
【００１４】
以上のように、本発明の一局面にかかる袋によれば、袋に表示された伝達文字をより確認しやすくすることができる。
【図面の簡単な説明】
【００１５】
【図１】本発明の一実施形態にかかるポリ袋を示す斜視図である。
【図２】一実施形態にかかるポリ袋に表示されている文字およびマークの例を示す模式図である。
【図３】一実施形態にかかるポリ袋に表示されている文字およびマークの例を示す模式図である。
【図４】ポリ袋の集合体（ロール型ポリ袋）を示す模式図である。
【図５】第２の実施形態にかかるポリ袋を示す斜視図である。
【図６】第３の実施形態にかかるポリ袋へ文字などを印刷する方法を説明する模式図である。
【図７】第３の実施形態にかかるポリ袋を子供がかぶった状態を示す模式図である。
【図８】第４の実施形態にかかるポリ袋に子供が入った状態を示す模式図である。
【図９】第５の実施形態にかかるポリ袋を示す斜視図である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
〔第１の実施形態〕
（ポリ袋の全体構成）
本実施形態では、本発明にかかる袋の一例として、ポリ袋１を例に挙げて説明する。図１には、ポリ袋１の外観を示す。ポリ袋１は、コンビニエンスストアやスーパーマーケットなどの小売店で購入した商品の運搬用、商品出荷時の包装用、およびゴミなどの収集用などに利用される。ポリ袋１は、例えば、容量が２０リットル以上の袋に適用することができる。
【００１８】
ポリ袋１は、ポリエチレン、ポリプロピレンなどの合成樹脂を原料として形成されている。ポリ袋１は、透明または半透明の袋状体である。ここで、透明または半透明とは、袋状体の表面または裏面に文字や絵などを印刷したときに、印刷面からのみならず、印刷面とは反対側の面からも印刷されている文字や絵などを視認できることを意味する。
【００１９】
ポリ袋１は、略長方形状の一側面を有している。略長方形状の一側面の一端部が底部１１となっており、底部１１と対向する他方の端部が開口部１２となっている。言い換えると、ポリ袋１は、筒状体の一方の端部が開口しており、他方の端部が封止されている。ポリ袋１の構成を説明するにあたって、便宜上、底部１１および開口部１２が形成されている方向をポリ袋１の縦方向Ｖ（または、上下方向）と呼び、該縦方向と交差（直交）する方向をポリ袋１の横方向Ｌ（または、左右方向）と呼ぶ。また、ポリ袋１の外側の面を表面１３とし、内側の面を裏面１４とする。
【００２０】
ポリ袋１の表面１３には、文字２１および２２、並びにマーク２７などが表示されている。これらは、例えば、ポリ袋１の表面１３に印刷されている。なお、ポリ袋１は、透明または半透明であるため、ポリ袋１の裏面１４が印刷面となっていてもよい。またあるいは、ポリ袋１の表面１３および裏面１４の両方に印刷が施されていてもよい。
【００２１】
文字２１および２２は、ポリ袋を使用する際に起こり得る危険に関するメッセージ（警告を意味する伝達文字）を含んでいる。例えば、図１に示すポリ袋１には、「このポリ袋は幼児の手の届くところに置かない  頭からかぶるなどすると、口や鼻をふさぎ窒息するおそれがあります。」という警告が記載されている。但し、メッセージの内容はこれに限定されない。
【００２２】
図１では、ポリ袋１をその本来の用途に使用するときの向きで図示している。すなわち、図１に示すポリ袋１は、通常、上方に開口部１２が位置し、下方に底部１１が位置する状態で使用される。
【００２３】
本実施形態では、同じ内容のメッセージが２種類の文字（すなわち、正文字２１および鏡文字２２）で記載されている。正文字２１は、通常の使用時の状態でポリ袋１を表面１３側から見たときに、正規の文字の向きで示されている文字である。鏡文字２２は、正文字２１を左右反転させた文字である。鏡文字２２の上下方向は、正文字２１の上下方向と同じである。つまり、ポリ袋１の裏面１４側から鏡文字２２を見ると、人の目には正規の文字の向きで認識される。
【００２４】
鏡文字２２で表示されたメッセージが印刷されていることで、ポリ袋１の裏面１４側からも正規の文字の向きで表記されたメッセージを確認することができる。また、ポリ袋１の表裏を反転させた状態では、正文字２１および鏡文字２２の左右が反転するため、鏡文字２２を正文字として認識することができる。
【００２５】
マーク２７は、例えば、警告を意味する標識または記号、あるいは注意を喚起するイラストなどである。本実施形態では、正文字２１のメッセージのグループと鏡文字２２メッセージのグループの両方に、同じ向きのマーク２７が表示されている。しかし、マーク２７は、１つのみであってもよい。
【００２６】
続いて、ポリ袋１に表示される文字およびマークの他の例について、図２および図３を参照しながら説明する。
【００２７】
図２には、警告を意味する伝達文字として、「かぶるな」という４文字のひらがなが表示されている例を示す。このような短く簡易な文字による警告は、例えば、小さな子供がポリ袋１を頭からかぶった場合に、すぐに認識できるため好ましい。
【００２８】
図２に示す例では、正文字２１の警告メッセージと、３種類の鏡文字２２・２３・２４の警告メッセージとが表示されている。鏡文字２２は、正文字２１を左右反転させた文字である。第２の鏡文字２３は、正文字２１を上下反転させた文字である。第３の鏡文字２４は、正文字２１の上下を逆にした（正文字２１を１８０度回転させた）文字である。本明細書では、鏡文字の範ちゅうには、正文字を左右反転させた文字だけではなく、正文字を上下に反転させた文字も含まれる。
【００２９】
上記のように、それぞれに向きの異なる４種類の文字が表示されていることで、ポリ袋１を上下逆にした場合、ポリ袋１の表裏を反転させた場合、および、ポリ袋１の表裏を反転させ、かつ上下を逆にした場合のそれぞれの場合に、何れかの文字が正規の文字の向きで視認できる。
【００３０】
また、図２に示す例では、マーク２７が表示されている。マーク２７は、４種類の文字２１・２２・２３・２４に対して１つのみ表示されている。これは、マーク２７に関しては、左右対称であったり、簡易な画像であったりするため、上下左右に反転した場合にも、人の目には比較的即座に意味を認識できるためである。
【００３１】
図３には、警告を意味する伝達文字として、「かぶるな」という４文字のひらがなが、正文字２１と鏡文字２２とで表示されている例を示す。図３に示すように、ポリ袋１には、その縦方向Ｖ（上下方向）と交差（直交）する横方向Ｌ（左右方向）に、正文字２１と鏡文字２２とが並んで表示されていてもよい。
【００３２】
そして、横書きのときに左から右へと記載する文字（例えば、アルファベット、漢字、仮名文字など）を使用する言語の場合には、左側に正文字２１、右側に鏡文字２２を表示することが好ましい。これは、横書きのときに左から右へと記載する文字の場合には、人間の目線が左上から文字を認識することが多いためである。この構成により、ポリ袋１をその表面１３側から見た場合およびその裏面１４側から見た場合の両方の場合において、人間の視覚により入りやすい位置に正文字を配置させることできる。
【００３３】
なお、同様の理由により、横書きのときに右から左へと記載する文字（例えば、アラビア文字、ヘブライ文字、シリア文字など）を使用する言語の場合には、右側に正文字、左側に鏡文字を表示することが好ましい。
【００３４】
なお、図２に示す例のように、正文字２１と、３種類の鏡文字とが表示されている場合には、通常の使用時の状態でポリ袋１を表面１３側から見たときに、正文字２１が左上に、鏡文字２２が右上に、第２の鏡文字２３が左下に、第３の鏡文字２４が右下に位置することが好ましい。これにより、ポリ袋１を、上下反転させて見た場合、表裏反転させて見た場合、および上下かつ表裏反転させて見た場合の何れの場合においても、正文字を左上に配置させることができる。
【００３５】
また、図３に示す例では、ポリ袋１を頭からかぶることを禁止する旨のメッセージを意味するマークとして、１つのマーク２７ａが表示されている。マーク２７ａについては、その向きが反転した場合であっても文字と比較して人間の目に認識されやすいため、正文字２１と同じ向きのもののみが表示されている。但し、他の例では、向きを種々に異ならせた複数個のマークを表示してもよい。
【００３６】
（変形例について）
図４には、ポリ袋１の変形例にかかるロール型ポリ袋（ポリ袋の集合体）３０を示す。ロール型ポリ袋３０は、複数のポリ袋１ａ・１ｂ・・・がロール状に巻かれた構造体である。各ポリ袋の境界には、ミシン目３１が設けられており、個々のポリ袋を容易に切り離すことができる。各ポリ袋１ａ・１ｂ・・において、ロール体の回転方向が縦方向Ｖとなっている。各ポリ袋１ａ・１ｂ・・において、この縦方向Ｖの一端部が開口部１２となっており、他端部が底部１１（封止部）となっている。図４の例では、各ポリ袋１ａ・１ｂ・・の下方の端部が開口部１２となっており、上方の端部が底部１１（封止部）となっている。
【００３７】
ロール型ポリ袋３０には、例えば、その表面に、ポリ袋を使用する際に起こり得る危険に関するメッセージ（警告を意味する伝達文字）が記載されている。このメッセージは、ポリ袋１と同様に、正文字２１と３種類の鏡文字２２・２３・２４とで記載されている。また、メッセージにはマークも含まれている。
【００３８】
正文字２１と３種類の鏡文字２２・２３・２４とで記載された各メッセージは、ロール型ポリ袋３０の縦方向Ｖに並んで表示されている。個々に切り離して使用される各ポリ袋１ａ・１ｂ・・・に対して、正文字２１および３種類の鏡文字２２・２３・２４がすべて含まれるように、各メッセージの配置位置および大きさが決められていることが好ましい。
【００３９】
ロール型ポリ袋３０の各ポリ袋１ａ・１ｂ・・・は、例えば、冷蔵庫、洗濯機などの大型の被包装物を包装するために用いられる。このような大型の被包装物を包装する場合には、被包装物の上方からポリ袋１ａ・１ｂ・・・を被せるようにして使用される場合が多い。このような場合には、被包装物にポリ袋１ａ・１ｂ・・・が被せられた状態で、人の目には、正文字２１の上下を逆にした（正文字２１を１８０度回転させた）第３の鏡文字２４が正文字として認識される。
【００４０】
そして、例えば、ポリ袋の表裏が反転された状態で被包装物にポリ袋１ａ・１ｂ・・・が被せられると、人の目には、正文字２１を上下反転させた第２の鏡文字２３が正文字として認識される。
【００４１】
このように、正文字２１と３種類の鏡文字２２・２３・２４とで記載された各メッセージが記載されていることで、各ポリ袋１ａ・１ｂ・・・を上下反転させたり表裏反転させたりして使用した場合のいずれにおいても、何れかの文字が正文字の向きで表示される。
【００４２】
（第１の実施形態のまとめ）
本実施形態にかかるポリ袋１は、透明または半透明の素材で形成されている。ポリ袋１の表面１３または裏面１４の少なくとも何れかには、警告を意味する伝達文字（メッセージ）が表示されている。ポリ袋１は、透明または半透明の素材で形成されているため、表面１３に印刷された文字などを裏面１４からも視認することができる。また、裏面１４に印刷された文字などを表面１３からも視認することができる。
【００４３】
また、表面１３または裏面１４の少なくとも何れかに表示された伝達文字は、正文字２１およびこの正文字２１に対する鏡文字２２を含む。なお、正文字２１と鏡文字２２とは、同一の文字群で構成されていてもよいし、異なる文字群で構成されていてもよい。正文字２１は、表面１３側からポリ袋１を見たときに、正規の向きの文字として人間が認識することができる。また、鏡文字２２は、裏面１４側からポリ袋１を見たときに、正規の向きの文字として人間が認識することができる。
【００４４】
このように、伝達文字が正文字および鏡文字で表示されていることで、ポリ袋の表面側からも裏面側からも表示された伝達文字をより確認しやすくすることができる。
【００４５】
なお、ポリ袋１に表示される伝達文字は、鏡文字２２以外に、第２の鏡文字２３、および第３の鏡文字２４を含んでいてもよい。この構成によれば、ポリ袋１の上下方向を通常の使用状態とは逆にした場合においても、伝達文字を正規の向きの文字として人間が認識することができる。
【００４６】
〔第２の実施形態〕
続いて、本発明の第２の実施形態について説明する。図５には、第２の実施形態にかかるポリ袋１０１の外観構成を示す。ポリ袋１０１は、例えば、コンビニエンスストアやスーパーマーケットなどの小売店で購入した商品の運搬用に好適に用いられる。ポリ袋１０１は、例えば、人の頭にかぶせることが可能な程度の容量（例えば、１０リットル以上）を有している。
【００４７】
第１の実施形態と同様に、ポリ袋１０１は、ポリエチレン、ポリプロピレンなどの合成樹脂を原料として形成されている。ポリ袋１０１は、透明または半透明の袋状体である。ポリ袋１０１は、略筒状体の外形を有している。そして、筒状体一方の端部が底部（封止部）１１となっており、底部１１と対向する他方の端部が開口部１２となっている。開口部１２には、持ち手１１７が設けられている。
【００４８】
ポリ袋１０１の表面１３には、いくつかの文字１２１ａ、１２１ｂ、および１２３と、マーク２７とが印刷されている。ポリ袋１０１は、透明または半透明の素材で形成されているため、表面１３に印刷された文字は、裏面１４からも視認することができる。
【００４９】
文字１２１ａは、例えば、小売店の店名、ロゴマークなどで構成されている。文字１２１ｂは、ポリ袋を使用する際に起こり得る危険に関するメッセージ（警告を意味する伝達文字）を含んでいる。例えば、図５に示すポリ袋１０１には、「子供の手の届くところに置かない」という警告が記載されている。文字１２１ａおよび１２１ｂは、ポリ袋１０１を通常の使用時の状態で見たときに正規の向きとなる文字（すなわち、正文字）で記載されている。
【００５０】
文字１２１ｂの横には、マーク２７が表示されている。また、文字１２１ｂの下方側（底部１１側）には、第２の鏡文字１２３が表示されている。第２の鏡文字１２３は、ポリ袋を使用する際に起こり得る危険に関するメッセージ（警告を意味する伝達文字）を含んでいる。例えば、図５に示すポリ袋１０１には、「かぶるな」という警告が記載されている。第２の鏡文字１２３は、第１の実施形態における第２の鏡文字２３と同じ向きの文字で記載されている。すなわち、第２の鏡文字１２３は、ポリ袋１０１を通常の使用時の状態で見たときに正規の向きとなる文字（すなわち、正文字）を、上下反転させた文字である。
【００５１】
以上のように、本実施形態にかかるポリ袋１０１には、警告を意味するメッセージを含む２種類の文字が記載されている。一方のメッセージは、正文字１２１ｂで表示されており、他方のメッセージは、第２の鏡文字１２３で表示されている。そして、正文字１２１ｂと第２の鏡文字１２３には、異なる文字が記載されている。このように、正文字１２１ｂと第２の鏡文字１２３とは、同じ文字でなくてもよい。
【００５２】
ポリ袋１０１に表示されている正文字１２１ｂは、ポリ袋１０１を通常の使用時の状態で表面１３側から見たときに正文字として認識することができる。このときには、ポリ袋１０１を使用する人に対する警告のメッセージ（すなわち、「子供の手の届くところに置かない」）を正文字として認識することができる。
【００５３】
また、ポリ袋１０１に表示されている第２の鏡文字１２３は、ポリ袋１０１を通常の使用時の状態とは上下逆の状態でかぶせたときに、裏面１４側から見て正文字として認識することができる。したがって、子供などが誤ってポリ袋１０１を頭からかぶったときに、第２の鏡文字１２３として印刷されている「かぶるな」という内容を正文字として認識することができる。
【００５４】
このように、第２の鏡文字１２３で表示されるメッセージは、子供でも理解できるように、ひらがなまたはカタカナで記載されていることが好ましい。また、ポリ袋１０１をかぶった人がより短時間で認識できるように、より短く簡便なメッセージであることが好ましい。
【００５５】
例えば、第２の鏡文字１２３で表示されるメッセージには、「かぶるな」、「（ポリ袋を）取り外しなさい」、「（ポリ袋を）脱ぎなさい」などといった、ポリ袋をかぶるという危険な行為を回避する旨の指示（命令）が含まれていてもよい。これにより、ポリ袋１０１をかぶった人に対するより強いメッセージとすることができる。
【００５６】
〔第３の実施形態〕
続いて、本発明の第３の実施形態について、図６および図７を用いて説明する。図６は、第３の実施形態にかかるポリ袋２０１の表面１３に、文字およびマークなどを印刷する方法を表したものである。図７は、第３の実施形態にかかるポリ袋２０１を子供がかぶった状態を示す模式図である。
【００５７】
ポリ袋２０１は、第２の実施形態にかかるポリ袋１０１と同様の形状を有している。ポリ袋２０１は、例えば、人の頭にかぶせることが可能な程度の容量（例えば、１０リットル以上）を有している。
【００５８】
ポリ袋２０１の表面１３には、正文字２１、および第２の鏡文字１２３などが印刷されている。ポリ袋２０１の表面１３に形成された印刷面は、第１の層４１、第２の層４２、および第３の層４３の三層構造を有している。第１の層４１には、第２の鏡文字（鏡文字）１２３が印字されている。第２の層４２は、第１の層４１上に配置されている。第２の層４２には、非透明の塗料（例えば、白色の塗料）が印刷されている。第３の層４３は、第２の層４２上に配置されている。第３の層４３には、正文字２１が印刷されている。
【００５９】
ポリ袋２０１は、上記のような構成を有する印刷面を有していることで、表面１３側から見た場合には、正文字２１のみを視認することができ、裏面１４側から見た場合には、第２の鏡文字１２３のみを視認することができる。
【００６０】
例えば、正文字２１は、第１の実施形態の正文字２１と同様に、「このポリ袋は幼児の手の届くところに置かない  頭からかぶるなどすると、口や鼻をふさぎ窒息するおそれがあります。」という内容となっている。
【００６１】
また、第２の鏡文字１２３は、第１の実施形態における第２の鏡文字２３と同じ向きの文字で記載されている。すなわち、第２の鏡文字１２３は、ポリ袋２０１を通常の使用時の状態で見たときに正規の向きとなる文字を、上下反転させた文字である。第２の鏡文字１２３は、例えば第２の実施形態と同様に、「かぶるな」という内容となっている。なお、図７では、ポリ袋２０１の裏面１４側から見たときの文字の向きで、第２の鏡文字１２３を表している。
【００６２】
図７には、ポリ袋２０１を子供がかぶった状態を示す。ポリ袋２０１の中にいる子供は、第２の鏡文字１２３を正文字として認識することができる。なお、第２の鏡文字１２３は、ポリ袋２０１の底部１１から距離Ｌ１だけ離れた位置に配置されている。ここで、Ｌ１は、１０ｃｍ以上とすることが好ましい。このような位置に第２の鏡文字１２３が配置されていることで、ポリ袋２０１をかぶった大人または子供の目の高さよりも上に鏡文字１２３が位置することを防止でき、ポリ袋２０１をかぶった大人または子供に第２の鏡文字１２３を確実に認識させることができる。
【００６３】
また、ポリ袋２０１の底部１１からの距離Ｌ１は４０ｃｍ以下とすることが好ましい。これにより、ポリ袋２０１をかぶった大人または子供の目の高さよりも下方（例えば肩よりも下）に鏡文字１２３が位置することを防止でき、ポリ袋２０１をかぶった大人または子供に第２の鏡文字１２３を確実に認識させることができる。
【００６４】
以上のように、鏡文字１２３の位置をポリ袋２０１の底部１１からの距離Ｌ１で規定した範囲内とすることで、ポリ袋２０１をかぶった大人または子供の目の高さと略同じ高さに第２の鏡文字１２３が位置することになり、第２の鏡文字１２３をより認識しやすくなる。
【００６５】
なお、上記のような三層構造の印刷面を形成する際には、先ず、第１の層４１として第２の鏡文字１２３を印字し、次に、第２の層４２として白色などの非透明の背景色を印刷し、最後に、第３の層４３として正文字２１を印字するという方法を採用することができる。これにより、片面印刷で、ポリ袋２０１の表面１３および裏面１４の両側からそれぞれ視認可能な２種類の文字を印字することができる。また、このような片面印刷とすることで、文字が印字されていない面（例えば、裏面１４）を被包装物との接触面とすることで、印刷用の塗料が被包装物に移ることを抑制することができる。
【００６６】
なお、上述の説明では、第１の層４１に第２の鏡文字１２３を印字した例を挙げているが、第１の層４１には第１の実施形態で説明した他の鏡文字を印字してもよい。またあるいは、第１の層４１に、第１の実施形態で説明した複数種の鏡文字を印字してもよい。
【００６７】
〔第４の実施形態〕
続いて、本発明の第４の実施形態について、図８を用いて説明する。図８は、第４の実施形態にかかるポリ袋４０１の外観構成を示す。ポリ袋４０１は、例えば、冷蔵庫、洗濯機などの大型の被包装物を包装するために用いられる。すなわち、ポリ袋４０１は、ポリ袋１０１と比較してより大容量である。
【００６８】
ポリ袋４０１は、通常、被包装物の上方から被せるようにして使用される。図８には、通常の使用時の状態とは上下逆にした状態でポリ袋４０１を図示している。第１の実施形態のポリ袋１などと同様に、縦方向Ｖの一端部が開口部１２となっており、他端部が底部１１となっている。
【００６９】
ポリ袋４０１の表面１３には、正文字４２１およびマーク、鏡文字４２２、並びに第２の鏡文字４２３などが表示されている。これらは、例えば、ポリ袋４０１の表面１３に印刷されている。なお、ポリ袋４０１の表面１３に形成されている印刷面は、第３の実施形態と同様の三層構造の印刷面とすることができる。この場合、第１の層４１に鏡文字４２２および第２の鏡文字４２３が印字されており、第３の層４３に正文字４２１が印刷されている。
【００７０】
正文字４２１は、ポリ袋を使用する際に起こり得る危険に関するメッセージ（警告を意味する伝達文字）を含んでいる。例えば、図８に示すポリ袋４０１には、第１の実施形態にかかるポリ袋１に記載されている正文字２１と同じ内容の警告が記載されている。正文字４２１は、ポリ袋４０１を通常の使用時の状態で見たときに正規の向きとなる文字（すなわち、正文字）で記載されている。
【００７１】
正文字４２１の開口部１２側（図８に示す状態で、正文字４２１の上方側）には、鏡文字４２２が表示されている。鏡文字４２２は、第３の実施形態における第２の鏡文字１２３と同様に、ポリ袋を用いた危険行為を回避させる旨の指示メッセージを含んでいる。例えば、図８に示すポリ袋４０１には、ポリ袋４０１を頭からかぶる行為を回避させるための「かぶるな」という指示メッセージが記載されている。鏡文字４２２は、第１の実施形態における鏡文字２２と同じ向きの文字で記載されている。すなわち、鏡文字４２２は、ポリ袋４０１を通常の使用時の状態で見たときに正規の向きとなる文字を、左右に反転させた文字である。なお、図８では、ポリ袋４０１の裏面１４側から見たときの文字の向きで、鏡文字４２２を表している。
【００７２】
ポリ袋４０１の開口部１２により近い側には、第２の鏡文字４２３が表示されている。第２の鏡文字４２３はポリ袋を用いた危険行為を回避させる旨の指示メッセージを含んでいる。例えば、図８に示すポリ袋４０１には、ポリ袋４０１の中に身体ごと入る行為を回避させるための「ふくろから  でなさい！」という指示メッセージが記載されている。第２の鏡文字４２３は、第１の実施形態における第２の鏡文字２３と同じ向きの文字で記載されている。すなわち、第２の鏡文字４２３は、ポリ袋４０１を通常の使用時の状態で見たときに正規の向きとなる文字を、上下反転させた文字である。なお、図８では、ポリ袋４０１の裏面１４側から見たときの文字の向きで、第２の鏡文字４２３を表している。
【００７３】
図８には、ポリ袋４０１の中に子供が入った状態を示す。この状態では、ポリ袋４０１の開口部１２側に子供の顔が位置する可能性が高い。そのため、ポリ袋４０１の開口部１２側を上方にした状態で、ポリ袋４０１の裏面側から見て正規の文字として視認されるように、「ふくろから  でなさい！」という指示メッセージが第２の鏡文字４２３で表示されている。図８に示す例のように、第２の鏡文字４２３は、小さな子供でもその意味を認識できるようにひらがなまたはカタカナであることが好ましい。
【００７４】
また、ポリ袋４０１を子供が頭からかぶった状態では、ポリ袋４０１の底部１１側に子供の顔が位置する可能性が高い。そのため、ポリ袋４０１の底部１１側を上方にした状態で、ポリ袋４０１の裏面側から見て正規の文字として視認されるように、「かぶるな」という指示メッセージが鏡文字４２２で表示されている。
【００７５】
以上のように、本実施形態にかかるポリ袋４０１には、ポリ袋４０１の使用時に起こり得る危険行為の状況に応じて、異なる配置位置で、異なる内容のメッセージが表示されている。使用者は、ポリ袋４０１の使用状況に応じたメッセージをより確認しやすくなり、ポリ袋４０１の使用時に起こり得る危険行為をより回避しやすくなり得る。
【００７６】
〔第５の実施形態〕
続いて、本発明の第５の実施形態について、図９を用いて説明する。図９は、第５の実施形態にかかるポリ袋５０１の外観構成を示す。ポリ袋５０１は、例えば、冷蔵庫、洗濯機などの大型の被包装物を包装するために用いられる。すなわち、ポリ袋５０１は、ポリ袋１０１と比較してより大容量である。
【００７７】
ポリ袋５０１は、通常、被包装物の上方から被せるようにして使用される。図９には、通常の使用時の状態でポリ袋５０１を図示している。第１の実施形態のポリ袋１などと同様に、縦方向Ｖの一端部が開口部１２となっており、他端部が底部１１となっている。
【００７８】
図９に示すように、ポリ袋５０１は、底部１１が略長方形状に拡張するようになっている。これにより、ポリ袋５０１は立体形状を構成し、より大容量の被包装物を包装することができる。ポリ袋５０１の側面は、第１の側面５１５ａ、第２の側面５１５ｂ、第３の側面５１５ｃ、および第４の側面５１５ｄという４つの側面で構成されている。
【００７９】
そして、各側面５１５ａ・５１５ｂ・５１５ｄ・５１５ｄには、警告を意味する伝達文字として、「かぶるな」という４文字のひらがながそれぞれ表示されている。図９に示す例では、各側面に、正文字の警告メッセージと、鏡文字の警告メッセージとが表示されている。
【００８０】
具体的には、第１の側面５１５ａは、正文字５２１ａと鏡文字５２２ａとが表示されている。第２の側面５１５ｂは、正文字５２１ｂと鏡文字５２２ｂとが表示されている。第３の側面５１５ｃは、正文字５２１ｃと鏡文字５２２ｃとが表示されている。第４の側面５１５ｄは、正文字５２１ｄと鏡文字５２２ｄとが表示されている。
【００８１】
このように、ポリ袋５０１の一つの側面だけではなく、他の側面にも同様の警告メッセージを表示することで、人がポリ袋５０１を被った際に何れかの側面に表示されている警告メッセージを視認することができる。なお、図９に示す例では、ポリ袋５０１のすべての側面（すなわち、４つの側面）に警告メッセージを表示しているが、これに限定はされない。少なくとも２つの側面に警告メッセージを表示することが好ましい。また、ポリ袋の周囲にわたって警告メッセージを表示することがより好ましい。
【００８２】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００８３】
１      ：ポリ袋（袋）
１１    ：底部
１２    ：開口部
１３    ：表面
１４    ：裏面
２１    ：正文字
２２    ：鏡文字
２３    ：第２の鏡文字
２４    ：第３の鏡文字
２７    ：マーク（記号）
３０    ：ロール型ポリ袋
４１    ：第１の層
４２    ：第２の層
４３    ：第３の層
１０１  ：ポリ袋（袋）
２０１  ：ポリ袋（袋）
４０１  ：ポリ袋（袋）
５０１  ：ポリ袋（袋）
【図１】
2019207846.tif 000003
【図２】
2019207846.tif 000004
【図３】
2019207846.tif 000005
【図４】
2019207846.tif 000006
【図５】
2019207846.tif 000007
【図６】
2019207846.tif 000008
【図７】
2019207846.tif 000009
【図８】
2019207846.tif 000010
【図９】
2019207846.tif 000011
【国際調査報告】
2019207846.tif 000012
2019207846.tif 000013
2019207846.tif 000014
2019207846.tif 000015